(57)【要約】【課題】  タブ型ブラウザを用いてウェブサイトにアクセスし、ウェブページを閲覧するユーザが関心や興味をもつニュースやブログなどの最新情報あるいは広告情報を容易にかつ利便性をもって提供することができるユーザビリティに優れた情報処理装置等の提供。【解決手段】  本発明の情報処理装置は、タブによって識別可能なウィンドウを重複した状態でウェブページを表示し、選択されたタブによって識別されるウィンドウを最前面に表示するタブ型ブラウザを実装し、タブ型ブラウザを含む各種情報を表示する表示手段と、上記表示手段に対する表示を制御する制御手段を備え、上記タブ型ブラウザのタブ表示領域の空き領域にティッカー表示部を配置し、上記制御手段は上記ティッカー表示部においてメッセージのティッカー表示を行うように上記表示手段を制御する。【選択図】図１
2006338487.tif 000002
【特許請求の範囲】
【請求項１】
タブによって識別可能なウィンドウを重複した状態でウェブページを表示し、選択されたタブによって識別されるウィンドウを最前面に表示するタブ型ブラウザを実装する情報処理装置であって、
上記タブ型ブラウザを含む各種情報を表示する表示手段と、
上記表示手段に対する表示を制御する制御手段を備え、
上記タブ型ブラウザのタブ表示領域の空き領域にティッカー表示部を配置し、上記制御手段は上記ティッカー表示部においてメッセージのティッカー表示を行うように上記表示手段を制御することを特徴とする情報処理装置。
【請求項２】
タブによって識別可能なウィンドウを重複した状態でウェブページを表示し、選択されたタブによって識別されるウィンドウを最前面に表示するタブ型ブラウザを実装する情報処理装置であって、
上記タブ型ブラウザを含む各種情報を表示する表示手段と、
上記表示手段に対する表示を制御する制御手段を備え、
上記タブ型ブラウザのタブ表示領域の空き領域に透明なベースウィンドウを配置し、上記ベースウィンドウに、メッセージを表示する幅の小さいメッセージウィンドウを貼り付け、上記制御手段は上記メッセージウィンドウを時間とともに移動させてティッカー表示を行うように上記表示手段を制御することを特徴とする情報処理装置。
【請求項３】
タブによって識別可能なウィンドウを重複した状態でウェブページを表示し、選択されたタブによって識別されるウィンドウを最前面に表示するタブ型ブラウザを実装する情報処理装置であって、
上記タブ型ブラウザを含む各種情報を表示する表示手段と、
上記表示手段に対する表示を制御する制御手段を備え、
上記タブ型ブラウザのタブ表示領域の空き領域にメッセージを表示する幅の小さいメッセージウィンドウを配置し、上記制御手段は上記メッセージウィンドウを時間とともに移動させてティッカー表示を行うように上記表示手段を制御することを特徴とする情報処理装置。
【請求項４】
タブによって識別可能なウィンドウを重複した状態でウェブページを表示し、選択されたタブによって識別されるウィンドウを最前面に表示するタブ型ブラウザを実装する情報処理装置であって、
上記タブ型ブラウザを含む各種情報を表示する表示手段と、
上記表示手段に対する表示を制御する制御手段を備え、
上記タブ型ブラウザのタブ表示領域の空き領域に直接メッセージを表示させ、上記制御手段は上記メッセージの位置を時間とともに移動させてティカー表示を行うように上記表示手段を制御することを特徴とする情報処理装置。
【請求項５】
タブによって識別可能なウィンドウを重複した状態でウェブページを表示し、選択されたタブによって識別されるウィンドウを最前面に表示するタブ型ブラウザを実装する情報処理装置であって、
上記タブ型ブラウザを含む各種情報を表示する表示手段と、
上記表示手段に対する表示を制御する制御手段を備え、
上記タブ型ブラウザのタブ表示領域の空き領域に透明なベースウィンドウを配置し、上記制御手段はメッセージを上記ベースウィンドウに直接表示させ、上記メッセージを時間とともに移動させてティッカー表示を行うように上記表示手段を制御することを特徴とする情報処理装置。
【請求項６】
上記制御手段は、上記タブ型ブラウザのウィンドウサイズ又はタブサイズの変更の通知を受けて、上記タブ型ブラウザのタブ表示領域の空き領域のサイズを計算し、上記ベースウィンドウのサイズを計算した空き領域に合わせるとともに、上記メッセージウィンドウの移動軌跡を計算し、その計算結果に基づいて上記メッセージウィンドウを移動させるように上記表示手段を制御することを特徴とする請求項２記載の情報処理装置。
【請求項７】
上記制御手段は、上記タブ型ブラウザのウィンドウサイズ又はタブサイズの変更の通知を受けて、上記タブ型ブラウザのタブ表示領域の空き領域のサイズを計算し、その計算結果に基づいて上記メッセージウィンドウの移動軌跡を計算し、その計算結果に基づいて上記メッセージウィンドウを移動させるように上記表示手段を制御することを特徴とする請求項３記載の情報処理装置。
【請求項８】
上記制御手段は、上記タブ型ブラウザのウィンドウサイズ又はタブサイズの変更の通知を受けて、上記タブ型ブラウザのタブ表示領域の空き領域のサイズを計算し、その計算結果に基づいて上記メッセージの移動軌跡を計算し、その計算結果に基づいて上記メッセージを移動させるように上記表示手段を制御することを特徴とする請求項４記載の情報処理装置。
【請求項９】
上記制御手段は、上記タブ型ブラウザのウィンドウサイズ又はタブサイズの変更の通知を受けて、上記タブ型ブラウザのタブ表示領域の空き領域を計算し、上記ベースウィンドウのサイズを計算した空き領域に合わせるとともに、上記メッセージの移動軌跡を計算し、その計算結果に基づいて上記メッセージを移動させるように上記表示手段を制御することを特徴とする請求項５記載の情報処理装置。
【請求項１０】
表示するメッセージが、ＲＳＳサーバから取得したＲＳＳ配信情報であることを特徴とする請求項１から９のいずれかに記載の情報処理装置。
【請求項１１】
表示するメッセージが、ＲＳＳサーバから取得したＲＳＳ情報と、広告情報であり、上記ＲＳＳ情報に上記広告情報を指定の割合で織り交ぜて順次表示が行われることを特徴とする請求項１から９のいずれかに記載の情報処理装置。
【請求項１２】
上記広告情報は、上記タブ型ブラウザ自身が広告サーバから取得したものであることを特徴とする請求項１１記載の情報処理装置。
【請求項１３】
上記広告情報は、広告サーバから上記広告情報を取得して配信する広告収集配信サービスサーバを介して取得したものであることを特徴とする請求項１１記載の情報処理装置。
【請求項１４】
タブによって識別可能なウィンドウを重複した状態でウェブページを表示し、選択されたタブによって識別されるウィンドウを最前面に表示するタブ型ブラウザにおいて、タブ表示領域の空き領域にメッセージをティッカー表示させることを特徴とするメッセージ表示方法。
【請求項１５】
タブによって識別可能なウィンドウを重複した状態でウェブページを表示し、選択されたタブによって識別されるウィンドウを最前面に表示するタブ型ブラウザにおいて、タブ表示領域の空き領域に透明なベースウィンドウを配置し、上記ベースウィンドウに、メッセージを表示する幅の小さいメッセージウィンドウを貼り付け、上記メッセージウィンドウを時間とともに移動させて上記メッセージをティッカー表示させることを特徴とするメッセージ表示方法。
【請求項１６】
タブによって識別可能なウィンドウを重複した状態でウェブページを表示し、選択されたタブによって識別されるウィンドウを最前面に表示するタブ型ブラウザにおいて、タブ表示領域の空き領域にメッセージを表示する幅の小さいメッセージウィンドウを配置し、上記メッセージウィンドウを時間とともに移動させて上記メッセージをティッカー表示させることを特徴とするメッセージ表示方法。
【請求項１７】
タブによって識別可能なウィンドウを重複した状態でウェブページを表示し、選択されたタブによって識別されるウィンドウを最前面に表示するタブ型ブラウザにおいて、タブ表示領域の空き領域に直接メッセージを表示させ、上記メッセージの位置を時間とともに移動させて上記メッセージをティカー表示させることを特徴とするメッセージ表示方法。
【請求項１８】
タブによって識別可能なウィンドウを重複した状態でウェブページを表示し、選択されたタブによって識別されるウィンドウを最前面に表示するタブ型ブラウザにおいて、タブ表示領域の空き領域に透明なベースウィンドウを配置し、メッセージを上記ベースウィンドウに直接表示させ、上記メッセージを時間とともに移動させて上記メッセージをティッカー表示させることを特徴とするメッセージ表示方法。
【請求項１９】
上記タブ型ブラウザのウィンドウサイズ又はタブサイズが変更されたとき、上記タブ型ブラウザのタブ表示領域の空き領域のサイズを計算し、上記ベースウィンドウのサイズを計算した空き領域に合わせるとともに、上記メッセージウィンドウの移動軌跡を計算し、その計算結果に基づいて上記メッセージウィンドウを移動させることを特徴とする請求項１５記載のメッセージ表示方法。
【請求項２０】
上記タブ型ブラウザのウィンドウサイズ又はタブサイズが変更されたとき、上記タブ型ブラウザのタブ表示領域の空き領域のサイズを計算し、その計算結果に基づいて上記メッセージウィンドウの移動軌跡を計算し、その計算結果に基づいて上記メッセージウィンドウを移動させることを特徴とする請求項１６記載のメッセージ表示方法。
【請求項２１】
上記タブ型ブラウザのウィンドウサイズ又はタブサイズが変更されたとき、上記タブ型ブラウザのタブ表示領域の空き領域のサイズを計算し、その計算結果に基づいて上記メッセージの移動軌跡を計算し、その計算結果に基づいて上記メッセージを移動させることを特徴とする請求項１７記載のメッセージ表示方法。
【請求項２２】
上記タブ型ブラウザのウィンドウサイズ又はタブサイズが変更されたとき、上記タブ型ブラウザのタブ表示領域の空き領域のサイズを計算し、上記ベースウィンドウのサイズを計算した空き領域に合わせるとともに、上記メッセージの移動軌跡を計算し、その計算結果に基づいて上記メッセージを移動させることを特徴とする請求項１８記載のメッセージ表示方法。
【請求項２３】
ＲＳＳサーバから取得したＲＳＳ配信情報をメッセージとして表示することを特徴とする請求項１４から２２のいずれかに記載のメッセージ表示方法。
【請求項２４】
ＲＳＳサーバから取得したＲＳＳ情報と、広告情報をメッセージとし、上記ＲＳＳ情報に上記広告情報を指定の割合で織り交ぜて順次表示することを特徴とする請求項１４から２２のいずれかに記載のメッセージ表示方法。
【請求項２５】
上記タブ型ブラウザ自身が広告サーバから上記広告情報として取得することを特徴とする請求項２４記載のメッセージ表示方法。
【請求項２６】
広告サーバから上記広告情報を取得して配信する広告収集配信サービスサーバを介して上記広告情報を取得することを特徴とする請求項２４記載のメッセージ表示方法。
【請求項２７】
タブによって識別可能なウィンドウを重複した状態でウェブページを表示し、選択されたタブによって識別されるウィンドウを最前面に表示するタブ型ブラウザを用い、タブ表示領域の空き領域にメッセージをティッカー表示させる処理を備えることを特徴とするコンピュータ実行可能なメッセージ表示プログラム。
【請求項２８】
タブによって識別可能なウィンドウを重複した状態でウェブページを表示し、選択されたタブによって識別されるウィンドウを最前面に表示するタブ型ブラウザを用い、タブ表示領域の空き領域に透明なベースウィンドウを配置し、上記ベースウィンドウに、メッセージを表示する幅の小さいメッセージウィンドウを貼り付け、上記メッセージウィンドウを時間とともに移動させて上記メッセージをティッカー表示させる処理を備えることを特徴とするコンピュータ実行可能なメッセージ表示プログラム。
【請求項２９】
タブによって識別可能なウィンドウを重複した状態でウェブページを表示し、選択されたタブによって識別されるウィンドウを最前面に表示するタブ型ブラウザを用い、タブ表示領域の空き領域にメッセージを表示する幅の小さいメッセージウィンドウを配置し、上記メッセージウィンドウを時間とともに移動させて上記メッセージをティッカー表示させる処理を備えることを特徴とするコンピュータ実行可能なメッセージ表示プログラム。
【請求項３０】
タブによって識別可能なウィンドウを重複した状態でウェブページを表示し、選択されたタブによって識別されるウィンドウを最前面に表示するタブ型ブラウザを用い、タブ表示領域の空き領域に直接メッセージを表示させ、上記メッセージの位置を時間とともに移動させて上記メッセージをティカー表示させる処理を備えることを特徴とするコンピュータ実行可能なメッセージ表示プログラム。
【請求項３１】
タブによって識別可能なウィンドウを重複した状態でウェブページを表示し、選択されたタブによって識別されるウィンドウを最前面に表示するタブ型ブラウザを用い、タブ表示領域の空き領域に透明なベースウィンドウを配置し、メッセージを上記ベースウィンドウに直接表示させ、上記メッセージを時間とともに移動させて上記メッセージをティッカー表示させる処理を備えることを特徴とするコンピュータ実行可能なメッセージ表示プログラム。
【請求項３２】
請求項２７から３１のいずれかに記載のメッセージ表示プログラムを記録したコンピュータ読み取り可能な記録媒体。
【発明の詳細な説明】
【技術分野】
【０００１】
本発明は、タブによって識別可能なウィンドウを重複した状態でウェブページを表示し、選択されたタブによって識別されるウィンドウを最前面に表示するタブ型ブラウザを実装する情報処理装置、メッセージ表示方法、コンピュータ実行可能なメッセージ表示プログラム、およびメッセージ表示プログラムを記録したコンピュータ読み取り可能な記録媒体に関する。
【背景技術】
【０００２】
近年、インターネットの急速な普及により、各種のウェブサイトにアクセスすることにより容易に情報を収集することが可能となっている。ウェブサイトが提供するウェブページを閲覧する場合、ユーザがパーソナルコンピュータ等の情報処理装置上で所定のブラウザを起動し、そのブラウザを介してウェブページを画面に表示する。このようなブラウザとしては、ウェブページ毎にウィンドウを開くタイプのものが多く市販されている。最近では、複数のウェブページをタブを用いて切り替えて画面に表示するタブ型ブラウザが提案されている（特許文献１等）。
【０００３】
この特許文献１に開示されたＨＴＭＬページ表示システムは、クライアントと、ウェブサーバとこれらを接続するネットワークを備えている。このシステムでは、ユーザがクライアントのウェブブラウザからＵＲＬ又はＣＧＩスクリプトに対する要求を出すと、これらはネットワークを介してウェブサーバに送信される。そして、ウェブサーバが、ＨＴＭＬページ又はデータをネットワークを介してクライアントに送信すると、クライアントのウェブブラウザは、受け取ったＨＴＭＬページを最前面にアクティブなタブ付きＨＴＭＬページとして表示するか、受け取ったデータに基づいてアクティブなＨＴＭＬページの表示を変化させるようになっている。
【０００４】
このようなタブ型ブラウザは、タブの操作により複数のページを同時に閲覧可能であり、簡単にエンジンを切り替えることができたり、ポップアップ広告を抑止する機能を備えていたり、消費メモリを抑制することができたり、ウィンドウサイズをタブ型ブラウザ本体のサイズで固定することができたり、豊富な拡張機能を備えていたり、お気に入り自動管理機構が備わっていたりして、ユーザビリティ（使いやすさ）に優れたものとして注目されている。
【特許文献１】特開２００２−４１２９６号公報
【発明の開示】
【発明が解決しようとする課題】
【０００５】
パーソナルコンピュータを使用するユーザとしては、自分の関心や興味があるニュースやブログの最新情報等を、簡単に収集し、チェックしたい、あるいはパーソナルコンピュータを使用して作業をしている合間にそのような情報を見てみたいという要望がある。一方、パソコンのブラウザを利用してユーザが関心や興味をもつと思われる広告情報をより効果的に提供したいというウェブサイト側あるいは広告提供者側の要望もある。
【０００６】
タブ型ブラウザを有効に利用して、これらの情報をユーザに容易にかつ気軽に提供することはユーザビリティをより一層向上させるものである。
【０００７】
しかしながら、このようにユーザに合ったニュースやブログの最新情報あるいはユーザに合った広告情報の提供が十分有効になされているとはいえないのが実情である。
【０００８】
本発明は、このような実情に鑑みてなされたもので、タブ型ブラウザを用いてウェブサイトにアクセスし、ウェブページを閲覧するユーザが関心や興味をもつニュースやブログなどの最新情報あるいは広告情報を容易にかつ利便性をもって提供することができるユーザビリティに優れた情報処理装置、メッセージ表示方法、コンピュータ実行可能なメッセージ表示プログラム、およびメッセージ表示プログラムを記録したコンピュータ読み取り可能な記録媒体を提供することをその課題とする。
【課題を解決するための手段】
【０００９】
上記課題を解決するため、本発明によれば、第１に、タブによって識別可能なウィンドウを重複した状態でウェブページを表示し、選択されたタブによって識別されるウィンドウを最前面に表示するタブ型ブラウザを実装する情報処理装置であって、上記タブ型ブラウザを含む各種情報を表示する表示手段と、上記表示手段に対する表示を制御する制御手段を備え、上記タブ型ブラウザのタブ表示領域の空き領域にティッカー表示部を配置し、上記制御手段は上記ティッカー表示部においてメッセージのティッカー表示を行うように上記表示手段を制御することを特徴とする情報処理装置を提供する。
【００１０】
第２に、タブによって識別可能なウィンドウを重複した状態でウェブページを表示し、選択されたタブによって識別されるウィンドウを最前面に表示するタブ型ブラウザを実装する情報処理装置であって、上記タブ型ブラウザを含む各種情報を表示する表示手段と、
上記表示手段に対する表示を制御する制御手段を備え、上記タブ型ブラウザのタブ表示領域の空き領域に透明なベースウィンドウを配置し、上記ベースウィンドウに、メッセージを表示する幅の小さいメッセージウィンドウを貼り付け、上記制御手段は上記メッセージウィンドウを時間とともに移動させてティッカー表示を行うように上記表示手段を制御することを特徴とする情報処理装置を提供する。
【００１１】
第３に、タブによって識別可能なウィンドウを重複した状態でウェブページを表示し、選択されたタブによって識別されるウィンドウを最前面に表示するタブ型ブラウザを実装する情報処理装置であって、上記タブ型ブラウザを含む各種情報を表示する表示手段と、上記表示手段に対する表示を制御する制御手段を備え、上記タブ型ブラウザのタブ表示領域の空き領域にメッセージを表示する幅の小さいメッセージウィンドウを配置し、上記制御手段は上記メッセージウィンドウを時間とともに移動させてティッカー表示を行うように上記表示手段を制御することを特徴とする情報処理装置を提供する。
【００１２】
第４に、タブによって識別可能なウィンドウを重複した状態でウェブページを表示し、選択されたタブによって識別されるウィンドウを最前面に表示するタブ型ブラウザを実装する情報処理装置であって、上記タブ型ブラウザを含む各種情報を表示する表示手段と、上記表示手段に対する表示を制御する制御手段を備え、上記タブ型ブラウザのタブ表示領域の空き領域に直接メッセージを表示させ、上記制御手段は上記メッセージの位置を時間とともに移動させてティカー表示を行うように上記表示手段を制御することを特徴とする情報処理装置を提供する。
【００１３】
第５に、タブによって識別可能なウィンドウを重複した状態でウェブページを表示し、選択されたタブによって識別されるウィンドウを最前面に表示するタブ型ブラウザを実装する情報処理装置であって、上記タブ型ブラウザを含む各種情報を表示する表示手段と、上記表示手段に対する表示を制御する制御手段を備え、上記タブ型ブラウザのタブ表示領域の空き領域に透明なベースウィンドウを配置し、上記制御手段はメッセージを上記ベースウィンドウに直接表示させ、上記メッセージを時間とともに移動させてティッカー表示を行うように上記表示手段を制御することを特徴とする情報処理装置を提供する。
【００１４】
第６に、上記第２の発明において、上記制御手段は、上記タブ型ブラウザのウィンドウサイズ又はタブサイズの変更の通知を受けて、上記タブ型ブラウザのタブ表示領域の空き領域のサイズを計算し、上記ベースウィンドウのサイズを計算した空き領域に合わせるとともに、上記メッセージウィンドウの移動軌跡を計算し、その計算結果に基づいて上記メッセージウィンドウを移動させるように上記表示手段を制御することを特徴とする情報処理装置を提供する。
【００１５】
第７に、上記第３の発明において、上記制御手段は、上記タブ型ブラウザのウィンドウサイズ又はタブサイズの変更の通知を受けて、上記タブ型ブラウザのタブ表示領域の空き領域のサイズを計算し、その計算結果に基づいて上記メッセージウィンドウの移動軌跡を計算し、その計算結果に基づいて上記メッセージウィンドウを移動させるように上記表示手段を制御することを特徴とする情報処理装置を提供する。
【００１６】
第８に、上記第４の発明において、上記制御手段は、上記タブ型ブラウザのウィンドウサイズ又はタブサイズの変更の通知を受けて、上記タブ型ブラウザのタブ表示領域の空き領域のサイズを計算し、その計算結果に基づいて上記メッセージの移動軌跡を計算し、その計算結果に基づいて上記メッセージを移動させるように上記表示手段を制御することを特徴とする情報処理装置を提供する。
【００１７】
第９に、上記第５の発明において、上記制御手段は、上記タブ型ブラウザのウィンドウサイズ又はタブサイズの変更の通知を受けて、上記タブ型ブラウザのタブ表示領域の空き領域のサイズを計算し、上記ベースウィンドウのサイズを計算した空き領域に合わせるとともに、上記メッセージの移動軌跡を計算し、その計算結果に基づいて上記メッセージを移動させるように上記表示手段を制御することを特徴とする情報処理装置を提供する。
【００１８】
第１０に、上記第１から第９のいずれかの発明において、表示するメッセージが、ＲＳＳサーバから取得したＲＳＳ配信情報であることを特徴とする情報処理装置を提供する。
【００１９】
第１１に、上記第１から第９のいずれかの発明において、表示するメッセージが、ＲＳＳサーバから取得したＲＳＳ情報と、広告情報であり、上記ＲＳＳ情報に上記広告情報を指定の割合で織り交ぜて順次表示が行われることを特徴とする情報処理装置を提供する。
【００２０】
第１２に、上記第１１の発明において、上記広告情報は、上記タブ型ブラウザ自身が広告サーバから取得したものであることを特徴とする情報処理装置を提供する。
【００２１】
第１３に、上記第１１の発明において、上記広告情報は、広告サーバから上記広告情報を取得して配信する広告収集配信サービスサーバを介して取得したものであることを特徴とする情報処理装置を提供する。
【００２２】
第１４に、タブによって識別可能なウィンドウを重複した状態でウェブページを表示し、選択されたタブによって識別されるウィンドウを最前面に表示するタブ型ブラウザにおいて、タブ表示領域の空き領域にメッセージをティッカー表示させることを特徴とするメッセージ表示方法を提供する。
【００２３】
第１５に、タブによって識別可能なウィンドウを重複した状態でウェブページを表示し、選択されたタブによって識別されるウィンドウを最前面に表示するタブ型ブラウザにおいて、タブ表示領域の空き領域に透明なベースウィンドウを配置し、上記ベースウィンドウに、メッセージを表示する幅の小さいメッセージウィンドウを貼り付け、上記メッセージウィンドウを時間とともに移動させて上記メッセージをティッカー表示させることを特徴とするメッセージ表示方法を提供する。
【００２４】
第１６に、タブによって識別可能なウィンドウを重複した状態でウェブページを表示し、選択されたタブによって識別されるウィンドウを最前面に表示するタブ型ブラウザにおいて、タブ表示領域の空き領域にメッセージを表示する幅の小さいメッセージウィンドウを配置し、上記メッセージウィンドウを時間とともに移動させて上記メッセージをティッカー表示させることを特徴とするメッセージ表示方法を提供する。
【００２５】
第１７に、タブによって識別可能なウィンドウを重複した状態でウェブページを表示し、選択されたタブによって識別されるウィンドウを最前面に表示するタブ型ブラウザにおいて、タブ表示領域の空き領域に直接メッセージを表示させ、上記メッセージの位置を時間とともに移動させて上記メッセージをティカー表示させることを特徴とするメッセージ表示方法を提供する。
【００２６】
第１８に、タブによって識別可能なウィンドウを重複した状態でウェブページを表示し、選択されたタブによって識別されるウィンドウを最前面に表示するタブ型ブラウザにおいて、タブ表示領域の空き領域に透明なベースウィンドウを配置し、メッセージを上記ベースウィンドウに直接表示させ、上記メッセージを時間とともに移動させて上記メッセージをティッカー表示させることを特徴とするメッセージ表示方法を提供する。
【００２７】
第１９に、上記第１５の発明において、上記タブ型ブラウザのウィンドウサイズ又はタブサイズが変更されたとき、上記タブ型ブラウザのタブ表示領域の空き領域のサイズを計算し、上記ベースウィンドウのサイズを計算した空き領域に合わせるとともに、上記メッセージウィンドウの移動軌跡を計算し、その計算結果に基づいて上記メッセージウィンドウを移動させることを特徴とするメッセージ表示方法を提供する。
【００２８】
第２０に、上記第１６の発明において、上記タブ型ブラウザのウィンドウサイズ又はタブサイズが変更されたとき、上記タブ型ブラウザのタブ表示領域の空き領域のサイズを計算し、その計算結果に基づいて上記メッセージウィンドウの移動軌跡を計算し、その計算結果に基づいて上記メッセージウィンドウを移動させることを特徴とするメッセージ表示方法を提供する。
【００２９】
第２１に、上記第１７の発明において、上記タブ型ブラウザのウィンドウサイズ又はタブサイズが変更されたとき、上記タブ型ブラウザのタブ表示領域の空き領域のサイズを計算し、その計算結果に基づいて上記メッセージの移動軌跡を計算し、その計算結果に基づいて上記メッセージを移動させることを特徴とするメッセージ表示方法を提供する。
【００３０】
第２２に、上記第１８の発明において、上記タブ型ブラウザのウィンドウサイズ又はタブサイズが変更されたとき、上記タブ型ブラウザのタブ表示領域の空き領域のサイズを計算し、上記ベースウィンドウのサイズを計算した空き領域に合わせるとともに、上記メッセージの移動軌跡を計算し、その計算結果に基づいて上記メッセージを移動させることを特徴とするメッセージ表示方法を提供する。
【００３１】
第２３に、上記第１４から第２２のいずれかの発明において、ＲＳＳサーバから取得したＲＳＳ配信情報をメッセージとして表示することを特徴とするメッセージ表示方法を提供する。
【００３２】
第２４に、上記第１４から第２２のいずれかの発明において、ＲＳＳサーバから取得したＲＳＳ情報と、広告情報をメッセージとし、上記ＲＳＳ情報に上記広告情報を指定の割合で織り交ぜて順次表示することを特徴とするメッセージ表示方法を提供する。
【００３３】
第２５に、上記第２５の発明において、上記タブ型ブラウザ自身が広告サーバから上記広告情報として取得することを特徴とするメッセージ表示方法を提供する。
【００３４】
第２６に、上記第２４の発明において、広告サーバから上記広告情報を取得して配信する広告収集配信サービスサーバを介して上記広告情報を取得することを特徴とするメッセージ表示方法を提供する。
【００３５】
第２７に、タブによって識別可能なウィンドウを重複した状態でウェブページを表示し、選択されたタブによって識別されるウィンドウを最前面に表示するタブ型ブラウザを用い、タブ表示領域の空き領域にメッセージをティッカー表示させる処理を備えることを特徴とするコンピュータ実行可能なメッセージ表示プログラムを提供する。
【００３６】
第２８に、タブによって識別可能なウィンドウを重複した状態でウェブページを表示し、選択されたタブによって識別されるウィンドウを最前面に表示するタブ型ブラウザを用い、タブ表示領域の空き領域に透明なベースウィンドウを配置し、上記ベースウィンドウに、メッセージを表示する幅の小さいメッセージウィンドウを貼り付け、上記メッセージウィンドウを時間とともに移動させて上記メッセージをティッカー表示させる処理を備えることを特徴とするコンピュータ実行可能なメッセージ表示プログラムを提供する。
【００３７】
第２９に、タブによって識別可能なウィンドウを重複した状態でウェブページを表示し、選択されたタブによって識別されるウィンドウを最前面に表示するタブ型ブラウザを用い、タブ表示領域の空き領域にメッセージを表示する幅の小さいメッセージウィンドウを配置し、上記メッセージウィンドウを時間とともに移動させて上記メッセージをティッカー表示させる処理を備えることを特徴とするコンピュータ実行可能なメッセージ表示プログラムを提供する。
【００３８】
第３０に、タブによって識別可能なウィンドウを重複した状態でウェブページを表示し、選択されたタブによって識別されるウィンドウを最前面に表示するタブ型ブラウザを用い、タブ表示領域の空き領域に直接メッセージを表示させ、上記メッセージの位置を時間とともに移動させて上記メッセージをティカー表示させる処理を備えることを特徴とするコンピュータ実行可能なメッセージ表示プログラムを提供する。
【００３９】
第３１に、タブによって識別可能なウィンドウを重複した状態でウェブページを表示し、選択されたタブによって識別されるウィンドウを最前面に表示するタブ型ブラウザを用い、タブ表示領域の空き領域に透明なベースウィンドウを配置し、メッセージを上記ベースウィンドウに直接表示させ、上記メッセージを時間とともに移動させて上記メッセージをティッカー表示させる処理を備えることを特徴とするコンピュータ実行可能なメッセージ表示プログラムを提供する。
【００４０】
第３２に、上記第２７から第３１のいずれかに記載のメッセージ表示プログラムを記録したコンピュータ読み取り可能な記録媒体を提供する。
【発明の効果】
【００４１】
本発明によれば、タブ型ブラウザのタブ表示領域の空き領域を利用してティッカー表示を行うようにしたので、タブ型ブラウザを用いてウェブサイトにアクセスし、ウェブページを閲覧するユーザが関心や興味をもつニュースやブログなどの最新情報あるいは広告情報を容易にかつ利便性をもって提供することができるユーザビリティに優れた情報処理装置、メッセージ表示方法、コンピュータ実行可能なメッセージ表示プログラム、およびメッセージ表示プログラムを記録したコンピュータ読み取り可能な記録媒体の提供が可能となる。
【発明を実施するための最良の形態】
【００４２】
以下、本発明の具体的な実施形態を図面に基づいて詳細に説明する。
【００４３】
本実施形態は、パーソナルコンピュータ等のネットワークに接続可能な情報処理装置である。本実施形態の情報処理装置は、タブ型ブラウザを実装し、タブ型ブラウザを介して各種ウェブサイトにアクセスしウェブページを表示するものであり、タブを使用することで複数のウェブページを切り替えてウェブページの閲覧をすることができるようになっている。また、タブ型ブラウザには、初心者であっても操作を容易に行うことができるようにユーザビリティに配慮して様々な機能が搭載されている。
【００４４】
図１に本実施形態の情報処理装置１０の構成を示す。この情報処理装置１０は、インターネット等のネットワーク２０を介してウェブサーバ３０に接続されている。この情報処理装置１０は、ＣＰＵ１１、ＲＯＭ１２、ＲＡＭ１３、記憶部１４、通信部１５、入出力操作部１６、表示部１７、出力部１８を備えている。
【００４５】
ＣＰＵ１１は、記憶部１４等に格納されているタブ型ブラウザアプリケーションプログラムをはじめとする各種プログラムを実行し、各部を統括的に制御する。タブ型ブラウザアプリケーションプログラムはＲＳＳ情報取得のためＲＳＳリーダを搭載することができる。ＲＯＭ１２は、各種プログラムをはじめとする各種情報を格納しており、その格納情報はＣＰＵ１１の制御のもとに読み出される。ＲＡＭ１３は、ＣＰＵが各種プログラムを実行する際のワークエリアとしての役割を行い、ＣＰＵ１１の制御のもとに各種情報を一時記憶するとともに、記憶している各種情報を読み出す。
【００４６】
記憶部１４は、ＣＰＵ１１の制御のもとに、タブ型ブラウザアプリケーションプログラムをはじめとする各種情報を記憶する。記録部１４としては、ハードディスクや不揮発性メモリ、フレキシブルディスク、ＭＯ、ＣＤ−Ｒ、ＤＶＤ−Ｒ、ＤＶＤ−ＲＷ等の読み出し及び／書き込み可能な光記録媒体等を用いることができる。
【００４７】
通信部１５は、ＣＰＵ１１の制御のもとに、各種通信方式に基づくネットワーク２０と接続するためのインターフェースの役割を行う。ネットワーク２０としては、アナログ回線、ＬＡＮ、ＩＳＤＮ、ＡＤＳＬ、ＦＴＴＨ等の各種ネットワーク回線の他、各種無線通信方式のものを利用することができる。
【００４８】
入力操作制御部１６は、キーボード、マウス、キーパッド、赤外線リモートコントローラ、スティックキー、プッシュボタン、タッチパネル等のユーザインタフェースとしての役割を行うもので、ユーザからの入力操作を受け付け、その操作内容を示す制御信号をＣＰＵ１１に伝える。
【００４９】
表示部１７は、ＣＰＵ１１の制御のもとに、各種画像データや、その他の各種情報を表示し、ＣＰＵ１１がタブ型ブラウザアプリケーションプログラムを起動すると、そのタブ型ブラウザを表示する。表示部１７としては、液晶ディスプレイ、プラズマディスプレイ、有機ＥＬディスプレイ、ＣＲＴ等を用いることができる。
【００５０】
出力部１８は、ＣＰＵ１１の制御のもとに、表示部１７に表示された内容を外部出力するもので、例えば各種プリンタを用いることができる。
【００５１】
上記のような構成を有する情報処理装置１０は、ＣＰＵ１１の制御のもとに、タブ型ブラウザアプリケーションプログラムを実行し、表示部１７にタブ型ブラウザを表示する。そして、情報処理装置１０は、ユーザによってタブ型ブラウザを介して入力操作された情報に基づいて、ウェブサーバ３０に対してアクセスし、タブ型ブラウザを介して該当ウェブページを表示部１７に表示する。
【００５２】
具体的には、情報処理装置１０は、図２に示すように、複数のタブ４１、４２、４３・・・によって識別可能なタブコントロールウィンドウが重複した状態で構成されるタブ型ブラウザを表示部１７に表示する。このタブ型ブラウザは、ウェブページを表示するためのウィンドウがタブコントロールウィンドウ上に設けられた状態で表示するように構成される。また、このタブ型ブラウザは、１つのタブコントロールウィンドウ上に、いわゆるＭＤＩ（Multiple Document Interface）ウィンドウを設け、さらにこのＭＤＩウィンドウ上に、ウェブページを表示するためのウィンドウを設けることにより、１つのタブコントロールウィンドウ上で、複数のウィンドウをカスケード表示するといった、マルチウィンドウ形式の表示を行うことも可能である。そして、情報処理装置１０では、タブ型ブラウザにおける所望のタブ４１、４２、４３・・・をマウス等を介してクリックすることにより、選択したタブのタブコントロールウィンドウを最前面に表示する。これにより、情報処理装置１０において、複数のウェブページをタブによって切り替えて表示部１７に表示することができる。
【００５３】
以下に、本実施形態の情報処理装置１０におけるメッセージのティッカー表示について詳述する。以下におけるタブ型ブラウザの機能及びティッカー表示の制御動作は、基本的に、制御手段であるＣＰＵ１１が行う。
【００５４】
本実施形態の情報処理装置１０は、図２に示すように、実装するタブ型ブラウザ４５のタブ表示領域４６の空き領域４７にティッカー表示部４８を配置し、ＣＰＵ１１が、ティッカー表示部４８においてメッセージのティッカー表示を行うように表示部１７を制御するものである。本明細書において「ティッカー」とは、画面上をアニメーションしながら情報を配信するシステムのことをいう。
【００５５】
まず、具体的な第１の態様について図３の画面イメージ、図４のティッカー表示のための動作フロー、図５の空き領域のサイズが変更したときの動作フローを参照しながら、メッセージのティッカー表示について説明する。図３において図２と同様な要素には同じ符号を付してある。
【００５６】
図３はタブ型ブラウザ４５の画面５０のイメージを模式的に示したものであり、画面５０中のタブ型ブラウザ４５の所定位置にはタブ表示領域４６が設けられており、そのタブ表示領域４６には、タブ４１、４２、４３・・・が表示できるようになっている。タブ表示領域４６において、タブ４１、４２、４３・・・が表示されていない空き領域４７には透明なベースウィンドウ（Ｂウィンドウとも称する）５１が配置され、Ｂウィンドウ５１には、メッセージを表示するために、Ｂウィンドウ５１より幅（メッセージの移動方向の幅）の小さいメッセージウィンドウ（Ｍウィンドウとも称する）５２が貼り付けられ、ＣＰＵ１１は、メッセージを表示したＭウィンドウ５２を時間とともに移動させてティッカー表示を行うように表示部１７を制御するようになっている。空き領域４７の例えば右端にはティッカー表示のための設定・カテゴリ表示用タブ５３を設けることができる。Ｂウィンドウ５１は、タブ４１、４２、４３・・・の増減により伸縮の対応が容易に行えるようになっている。
【００５７】
図４を参照して、ティッカー表示の動作を述べると、まずＣＰＵ１１は、タブ型ブラウザ４５のタブ表示領域４６の空き領域４７のサイズを計算し（ステップ１０１）、透明なＢウィンドウ５１を空き領域４７に配置する（ステップ１０２）。次に、ＣＰＵ１１は、計算したＢウィンドウ５１のサイズに基づいてＭウィンドウ５２を動かす移動軌跡を計算する（ステップ１０３）。
【００５８】
一方で、ＣＰＵ１１は、Ｍウィンドウ５２に表示するメッセージ（例えば表示文字列群）を取得する（ステップ１０４）。表示するメッセージは、後述するように、ＲＳＳサーバから取得したＲＳＳ配信情報（最新のニュース等）であってもよいし、ＲＳＳサーバから取得したＲＳＳ情報に広告情報を指定の割合で織り交ぜたものであってもよく、広告情報のみでもよい。
【００５９】
次に、ＣＰＵ１１はＢウィンドウ５１の情報に基づいてＭウィンドウ５２の表示位置を計算し（ステップ１０５）、その計算結果に基づいてＭウィンドウ５２を移動させる（ステップ１０６）。ステップ１０５とステップ１０６の処理は、ある単位のメッセージが終点に移動するまでループさせる。ある単位のメッセージが終点に移動したら次のメッセージを表示させる（ステップ１０４から１０６のルーチン）。
【００６０】
次に、第１の態様において、空き領域４７のサイズ変更（ウィンドウサイズやタブサイズの変更にともなう）時の動作を述べる。
【００６１】
ＣＰＵ１１は、タブ型ブラウザ４５の空き領域４７のサイズ変更の通知を受け取ると（ステップ１１１）、空き領域４７のサイズを再計算する（ステップ１１２）。そして、Ｂウィンドウ５１のサイズを、再計算した空き領域４７のサイズに合わせ（ステップ１１３）、Ｍウィンドウ５２の移動軌跡の再計算を行い（ステップ１１４）、Ｍウィンドウ５２を再配置する（ステップ１１５）。以降のメッセージのティッカー表示は図４で示した手順と同様な手順で行う。
【００６２】
ここで、ティッカー表示するメッセージの取得法について述べる。図６は、メッセージとして、ＲＳＳ情報と広告情報を指定の割合で織り交ぜて表示する場合のメッセージの一取得法のイメージ、図７は、メッセージの取得の動作フローである。
【００６３】
ＣＰＵ１１の制御のもとで、タブ型ブラウザ４５自身が各ＲＳＳサーバ６１から最新のニュースなどのＲＳＳ情報を取得する（ステップ１２１）。一方、同様に、ＣＰＵ１１の制御のもとで、タブ型ブラウザ４５自身がユーザが関心のある広告情報を各広告サーバ６２から取得する（ステップ１２２）。次に、ＣＰＵ１１は、あらかじめ設定された比率（均等割でも良い）に基づいて、例えばニュースに広告を織り交ぜたリストを作成する（ステップ１２３）。ユーザがタブ型ブラウザ４５の空き領域４７の右端に設けられたティッカー表示のための設定・カテゴリ表示のためのタブ５３を操作すると、リストから項目が順次表示され（ステップ１２４）、ユーザは所望のメッセージの表示を選択することができる。
【００６４】
次に、ティッカー表示するメッセージの別の取得法について述べる。図８は、メッセージとして、ＲＳＳ情報と広告情報を指定の割合で織り交ぜて表示する場合のメッセージの別の取得法のイメージ、図９は、メッセージの取得の動作フローである。
【００６５】
この場合、広告収集配信サービスサーバ（サービスサーバとも称する）６３が各広告サーバ６２から広告情報を収集する（ステップ１３１）。広告主がサービスサーバにあらかじめ流した広告を伝達することで、サービスサーバ６３側でとりまとめて広告情報を配信することができる。ＣＰＵ１１の制御のもとで、タブ型ブラウザ４５自身が各ＲＳＳサーバ６１から最新のニュースなどのＲＳＳ情報を取得する（ステップ１３２）。一方、ＣＰＵ１１の制御のもとで、タブ型ブラウザ４５はサービスサーバ６３から広告情報を取得する（ステップ１３３）。次に、ＣＰＵ１１は、あらかじめ設定された比率（均等割でも良い）に基づいて、例えばニュースに広告を織り交ぜたリストを作成する（ステップ１３３）。ユーザがタブ型ブラウザ４５の空き領域４７の右端に設けられたティッカー表示のための設定・カテゴリ表示のためのタブ５３を操作すると、リストから項目が順次表示され（ステップ１３５）、ユーザは所望のメッセージの表示を選択することができる。
【００６６】
次に、具体的な第２の態様について図１０の画面イメージ、図１１のティッカー表示のための動作フロー、図１２の空き領域のサイズが変更したときの動作フローを参照しながら、メッセージのティッカー表示について説明する。図１０において図３と同様な要素には同じ符号を付してある。
【００６７】
図１０はタブ型ブラウザ４５の画面５０のイメージを模式的に示したものであり、画面５０の所定位置にタブ表示領域４６が設けられており、そのタブ表示領域４６には、タブ４１、４２、４３・・・が表示できるようになっている。タブ表示領域４６において、タブ４１、４２、４３・・・が表示されていない空き領域４７には、メッセージを表示するために、所定幅のメッセージウィンドウ（Ｍウィンドウとも称する）５２が直接貼り付けられ、ＣＰＵ１１は、メッセージを表示したＭウィンドウ５２を時間とともに移動させてティッカー表示を行うように表示部１７を制御するようになっている。
【００６８】
図１１を参照して、ティッカー表示の動作を述べると、まずＣＰＵ１１は、タブ型ブラウザ４５のタブ表示領域４６の空き領域４７のサイズを計算する（ステップ１４１）。次に、ＣＰＵ１１は、計算した空き領域４７のサイズに基づいてＭウィンドウ５２を動かす移動軌跡を計算する（ステップ１４２）。
【００６９】
一方で、ＣＰＵ１１は、Ｍウィンドウ５２に表示するメッセージ（例えば表示文字列群）を取得する（ステップ１４３）。表示するメッセージは、上記と同様、ＲＳＳサーバから取得したＲＳＳ配信情報（最新のニュース等）であってもよいし、ＲＳＳサーバから取得したＲＳＳ情報に広告情報を指定の割合で織り交ぜたものであってもよく、広告情報のみでもよい。
【００７０】
次に、ＣＰＵ１１は空き領域４７の情報に基づいてＭウィンドウ５２の表示位置を計算し（ステップ１４４）、その計算結果に基づいてＭウィンドウ５２を移動させる（ステップ１４５）。ステップ１４４とステップ１４５の処理は、ある単位のメッセージが終点に移動するまでループさせる。ある単位のメッセージが終点に移動したら次のメッセージを表示させる（ステップ１４３から１４５のルーチン）。
【００７１】
次に、第２の態様において、空き領域４７のサイズ変更（ウィンドウサイズやタブサイズの変更にともなう）時の動作を述べる。
【００７２】
ＣＰＵ１１は、タブ型ブラウザ４５の空き領域４７のサイズ変更の通知を受け取ると（ステップ１５１）、空き領域４７のサイズを再計算する（ステップ１５２）。次に、ＣＰＵ１１は、Ｍウィンドウ５２の移動軌跡の再計算を行い（ステップ１５３）、Ｍウィンドウ５２を再配置する（ステップ１５４）。以降のメッセージのティッカー表示は図１１で示した手順と同様な手順で行う。
【００７３】
次に、具体的な第３の態様について図１３の画面イメージ、図１４のティッカー表示のための動作フロー、図１５の空き領域のサイズが変更したときの動作フローを参照しながら、メッセージのティッカー表示について説明する。図１２において図３と同様な要素には同じ符号を付してある。
【００７４】
図１３はタブ型ブラウザ４５の画面５０のイメージを模式的に示したものであり、画面５０の所定位置にタブ表示領域４６が設けられており、そのタブ表示領域４６には、タブ４１、４２、４３・・・が表示できるようになっている。タブ表示領域４６において、タブ４１、４２、４３・・・が表示されていない空き領域４７には、メッセージを直接表示させ、メッセージの位置を時間とともに移動させてティッカー表示を行うように表示部１７を制御するようになっている。
【００７５】
図１４を参照して、ティッカー表示の動作を述べると、まずＣＰＵ１１は、タブ型ブラウザ４５のタブ表示領域４６の空き領域４７を計算する（ステップ１６１）。次に、ＣＰＵ１１は、計算した空き領域４７のサイズに基づいてメッセージを動かす移動軌跡を計算する（ステップ１６２）。
【００７６】
一方で、ＣＰＵ１１は、表示するメッセージ（例えば表示文字列群）を取得する（ステップ１６３）。表示するメッセージは、上記と同様、ＲＳＳサーバから取得したＲＳＳ配信情報（最新のニュース等）であってもよいし、ＲＳＳサーバから取得したＲＳＳ情報に広告情報を指定の割合で織り交ぜたものであってもよく、広告情報のみでもよい。
【００７７】
次に、ＣＰＵ１１は空き領域４７の情報に基づいてメッセージの表示位置を計算し（ステップ１６４）、その計算結果に基づいてメッセージ直接表示させ、時間とともにメッセージを移動させる（ステップ１６５）。ある単位のメッセージが終点に移動したら次のメッセージを表示させる（ステップ１６３から１６５のルーチン）。
【００７８】
次に、第３の態様において、空き領域４７のサイズ変更（ウィンドウサイズやタブサイズの変更にともなう）時の動作を述べる。
【００７９】
ＣＰＵ１１は、タブ型ブラウザ４５の空き領域４７のサイズ変更の通知を受け取ると（ステップ１７１）、空き領域４７のサイズを再計算する（ステップ１７２）。次に、ＣＰＵ１１は、メッセージの移動軌跡の再計算を行う（ステップ１７３）。次に、背景を背景色で塗りつぶし、メッセージを再度空き領域５７に直接表示する（ステップ１７４）。以降のメッセージのティッカー表示は図１４で示した手順と同様な手順で行う。
【００８０】
次に、具体的な第４の態様について図１６の画面イメージ、図１７のティッカー表示のための動作フロー、図１８の空き領域のサイズが変更したときの動作フローを参照しながら、メッセージのティッカー表示について説明する。図１６において図３と同様な要素には同じ符号を付してある。
【００８１】
図１６はタブ型ブラウザ４５の画面５０のイメージを模式的に示したものであり、画面５０中のタブ型ブラウザ４５の所定位置にはタブ表示領域４６が設けられており、そのタブ表示領域４６には、タブ４１、４２、４３・・・が表示できるようになっている。タブ表示領域４６において、タブ４１、４２、４３・・・が表示されていない空き領域４７には透明なベースウィンドウ（Ｂウィンドウとも称する）５１が配置され、Ｂウィンドウ５１には、メッセージが直接表示され、時間とともに移動させてティッカー表示を行うように表示部１７を制御するようになっている。Ｂウィンドウ５１は、タブ４１、４２、４３・・・の増減により伸縮の対応が容易に行えるようになっている。
【００８２】
図１７を参照して、ティッカー表示の動作を述べると、まずＣＰＵ１１は、タブ型ブラウザ４５のタブ表示領域４６の空き領域４７を計算し（ステップ１８１）、透明なＢウィンドウ５１を空き領域４７に配置する（ステップ１８２）。次に、ＣＰＵ１１は、計算したＢウィンドウ５１のサイズに基づいてメッセージを動かす移動軌跡を計算する（ステップ１８３）。
【００８３】
一方で、ＣＰＵ１１は、Ｍウィンドウ５２に表示するメッセージ（例えば表示文字列群）を取得する（ステップ１８４）。表示するメッセージは、後述するように、ＲＳＳサーバから取得したＲＳＳ配信情報（最新のニュース等）であってもよいし、ＲＳＳサーバから取得したＲＳＳ情報に広告情報を指定の割合で織り交ぜたものであってもよく、広告情報のみでもよい。
【００８４】
次に、ＣＰＵ１１はＢウィンドウ５１の情報に基づいてメッセージの表示位置を計算し（ステップ１８５）、その計算結果に基づいてメッセージを移動させる（ステップ１８６）。ステップ１８５とステップ１８６の処理は、ある単位のメッセージが終点に移動するまでループさせる。ある単位のメッセージが終点に移動したら次のメッセージを表示させる（ステップ１８４から１８６のルーチン）。
【００８５】
次に、第４の態様において、空き領域４７のサイズ変更（ウィンドウサイズやタブサイズの変更にともなう）時の動作を述べる。
【００８６】
ＣＰＵ１１は、タブ型ブラウザ４５の空き領域４７のサイズ変更の通知を受け取ると（ステップ１９１）、空き領域４７のサイズを再計算する（ステップ１９２）。そして、Ｂウィンドウ５１のサイズを、再計算した空き領域４７のサイズに合わせ（ステップ１９３）、メッセージの移動軌跡の再計算を行う（ステップ１９４）。次に、背景を背景色で塗りつぶし、メッセージを再度Ｂウィンドウ５１に直接表示する（ステップ１９５）。以降のメッセージのティッカー表示は図１７で示した手順と同様な手順で行う。
【００８７】
以上、本発明の実施形態をいくつかの態様に基づいてきたが、本発明は以上の実施形態に限定されるものではなく、細部については様々な態様が可能である。
【００８８】
本発明によれば、上記実施形態で述べたメッセージのティッカー表示を行う処理を備えたコンピュータ実行可能なメッセージ表示プログラム、およびメッセージ表示プログラムを記録したコンピュータ読み取り可能な記録媒体の提供が可能となる。
【図面の簡単な説明】
【００８９】
【図１】本発明の一実施形態の情報処理装置の構成と、該情報処理装置とネットワークを介してウェブサーバとを接続するシステム構成を示すブロック図である。
【図２】タブ型ブラウザを模式的に示す図である。
【図３】第１の態様について画面イメージを示す図である。
【図４】第１の態様のティッカー表示のための動作フローチャートである。
【図５】第１の態様において空き領域のサイズが変更したときの動作フローチャートである。
【図６】メッセージとして、ＲＳＳ情報と広告情報を指定の割合で織り交ぜて表示する場合のメッセージの一取得法のイメージを示す図である。
【図７】図６のメッセージの取得の動作フローチャートである。
【図８】メッセージとして、ＲＳＳ情報と広告情報を指定の割合で織り交ぜて表示する場合のメッセージの別の取得法のイメージを示す図である。
【図９】図８のメッセージの取得の動作フローチャートである。
【図１０】第２の態様について画面イメージを示す図である。
【図１１】第２の態様のティッカー表示のための動作フローチャートである。
【図１２】第２の態様において空き領域のサイズが変更したときの動作フローチャートである。
【図１３】第３の態様について画面イメージを示す図である。
【図１４】第３の態様のティッカー表示のための動作フローチャートである。
【図１５】第３の態様において空き領域のサイズが変更したときの動作フローチャートである。
【図１６】第４の態様について画面イメージを示す図である。
【図１７】第４の態様のティッカー表示のための動作フローチャートである。
【図１８】第４の態様において空き領域のサイズが変更したときの動作フローチャートである。
【符号の説明】
【００９０】
１１    ＣＰＵ
１２    ＲＯＭ
１３    ＲＡＭ
１４    記憶部
１５    通信部
１６    入力操作制御部
１７    表示部
１８    出力部
４１、４２、４３    タブ
４５    タブ型ブラウザ
４６    タブ表示領域
４７    空き領域
４８    ティッカー表示部
５１    ベースウィンドウ（Ｂウィンドウ）
５２    メッセージウィンドウ（Ｍウィンドウ）
５３    設定・カテゴリ表示用タブ
６１    ＲＳＳサーバ
６２    広告サーバ
６３    広告収集配信サービスサーバ（サービスサーバ）
【図１】
2006338487.tif 000003
【図４】
2006338487.tif 000004
【図５】
2006338487.tif 000005
【図６】
2006338487.tif 000006
【図７】
2006338487.tif 000007
【図８】
2006338487.tif 000008
【図１１】
2006338487.tif 000009
【図１２】
2006338487.tif 000010
【図１４】
2006338487.tif 000011
【図１５】
2006338487.tif 000012
【図１７】
2006338487.tif 000013
【図１８】
2006338487.tif 000014
【図２】
2006338487.tif 000015
【図３】
2006338487.tif 000016
【図９】
2006338487.tif 000017
【図１０】
2006338487.tif 000018
【図１３】
2006338487.tif 000019
【図１６】
2006338487.tif 000020